(57)【特許請求の範囲】
【請求項１】
外線側ケーブルと信号機器とに接続されたリセプタクルを接続可能な複数の接続端子と、アース端子とを有する端子盤と、
前記接続端子及びアース端子に対して接続可能な複数の保安器と、
を備えたことを特徴とする保安器盤。
【請求項２】
請求項１記載の保安器盤において、
リセプタクルを接続可能な複数の接続端子の近傍に、リセプタクルを一時的に仮接続するための預け端子を備えたことを特徴とする保安器盤。
【発明の詳細な説明】
【０００１】
【発明の属する技術分野】
本発明は保安器盤に関し、特に、鉄道用の信号機器を外線ケーブルから侵入する雷サージ等の異常電圧から保護するために使用される保安器盤に関するものである。
【０００２】
【従来の技術及び発明が解決しようとする課題】
近年、鉄道用信号工事の近代化により、各種の信号機器を雷サージ等から保護するための保安器盤についても、その老朽化に伴って取り替えや改良が必要とされている。
従来のこの種の保安器盤は、据付工事に多くの手間がかかり、また、保守・点検に当たっても作業性が悪いという問題があり、それらの解決が望まれていた。
そこで本発明は、器具箱等への組み込みが容易で保安器等の実装が容易であり、据付工事や保守・点検作業も容易に行うことができる保安器盤を提供しようとするものである。
【０００３】
【課題を解決するための手段】
上記課題を解決するため、請求項１記載の発明は、外線側ケーブルと信号機器とに接続されたリセプタクルを接続可能な複数の接続端子と、アース端子とを有する端子盤と、前記接続端子及びアース端子に対して接続可能な複数の保安器とを備えたものである。
また、請求項２記載の発明は、請求項１記載の保安器盤において、リセプタクルを接続可能な複数の接続端子の近傍に、リセプタクルを一時的に仮接続するための預け端子を備えたものである。
【０００４】
【発明の実施の形態】
以下、図に沿って本発明の実施形態を説明する。
まず、図１は本発明の保安器盤の一部を構成する端子盤１００を示すもので、図１（Ａ）は平面図、図１（Ｂ）は底面図、図１（Ｃ）は正面図である。これらの図において、１０１は絶縁材料からなる基板であり、その上面には枠状の保安器装着部１０２が形成されている。
この実施形態は８個の保安器２００を装着可能に形成されており、図１（Ａ）に示すように保安器装着部１０２の内部には、８個の保安器２００に対応する各一対の接続端子１０３，１０４と、アース端子１０５とが立設されている。ここで、１０６はアース端子１０５と一体になった共通のアース板である。なお、保安器２００の具体的構造は後述する。
【０００５】
図１（Ｂ）において、１０７は基板１０１の裏面に形成された格子状のリセプタクル装着部であり、この装着部１０７には後述するリセプタクルに接続される多数の接続端子が立設されている。
すなわち、図１（Ａ）における接続端子１０３の裏側に図１（Ｂ）の３分岐した接続端子１１３が一体的に連結構成され、同様に、図１（Ａ）の接続端子１０４の裏側に図１（Ｂ）の３分岐した接続端子１１４が一体的に連結構成されている。例えば、一体的に形成される接続端子１０４，１１４の形状を図示すると、図１（Ｃ）の破線のとおりである。
【０００６】
更に、図１（Ｂ），（Ｃ）に示す如く、接続端子１１３，１１４の側方には、周囲の端子と電気的に絶縁された預け端子１１５が立設されている。これらの預け端子１１５は、接続端子１１３，１１４に接続されるリセプタクルを一時的に仮接続することで、工事等の作業中にリセプタクルの接続先が不明になるのを防止するためのものである。
なお、図１（Ａ），（Ｂ）において、１１６は取付孔、１１７はアース接続孔である。
【０００７】
次に、保安器２００の内部構成を図２、図３を参照しつつ説明する。
保安器２００は、いわゆるプラグインタイプで前記保安器装着部１０２に装着されるものであり、回路的には、図３に示すように２個のバリスタ２０１，２０２と、１個の３極アレスタ２０３とから構成されている。
図２（Ａ），（Ｂ）において、２０４はケース、２０５はケース２０４の上端部に形成された段部、２１３，２１４はそれぞれバリスタ２０１，２０２の一端部に接続された接続端子、２１５はアレスタ２０３のアース端子に接続されたアース端子である。
【０００８】
このように構成された保安器２００を端子盤１００の保安器装着部１０２に装着すると、図３のような回路が構成される。すなわち、保安器２００の接続端子２１３，２１４が保安器装着部１０２の接続端子１０３，１０４（各々接続端子１１３，１１４と一体化されている）にそれぞれ接続され、保安器２００のアース端子２１５が保安器装着部１０２のアース端子１０５（アース板１０６）に接続される。
【０００９】
図４は、この実施形態の使用状態を示しており、例えば鉄道の線路近くに設置された信号機器収納用の器具箱５００内に本発明を取り付けた例である。
図示するように、器具箱５００内には支持パネル５０１が配置され、この支持パネル５０１に基板１０１を固定して端子盤１００が取り付けられる。
リセプタクル装着部１０７に装着されるリセプタクル（ポジティブロックリセプタクル）は、１個の保安器２００に対して３個ずつ２列の計６個のリセプタクル３０１〜３０６が対応している。なお、図４ではリセプタクル３０４，３０５，３０６の背後にリセプタクル３０１，３０２，３０３が配置されている様子を示している。
【００１０】
ここで、ケーブル用リセプタクル３０１、予備用リセプタクル３０２、機器用リセプタクル３０３は、リセプタクル装着部１０７側の３分岐した接続端子１１３にそれぞれ接続可能であり、同様にケーブル用リセプタクル３０４、予備用リセプタクル３０５、機器用リセプタクル３０６は、リセプタクル装着部１０７側の３分岐した接続端子１１４にそれぞれ接続可能である。
【００１１】
ケーブル用リセプタクル３０１，３０４は、器具箱５００の外部から導入された外線ケーブル５０２に接続され、また、機器用リセプタクル３０３，３０６及び予備用リセプタクル３０２，３０５は、器具箱５００の内部において図示されていない信号機器に接続されている。
なお、図４において、５０３は、背中合わせで配置された８個の保安器２００の段部２０５に係合して端子盤１００に固定される保安器固定具である。
【００１２】
このようにして、１回線分の信号機器に対し１個の保安器２００を端子盤１００に装着し、かつ、所定のリセプタクル３０１，３０４，３０３，３０６を用いて外線ケーブル５０２及び信号機器を端子盤１００に接続することにより、図３に示した回路が構成される。
従って、外線ケーブル５０２側から侵入した雷サージ等による異常電圧をバリスタ２０１，２０２、アレスタ２０３の動作によってアース側へ逃がすことができ、鉄道用の各種信号機器に異常電圧が印加されるおそれがない。
【００１３】
図４の構成において、回線の増設や変更はリセプタクルや保安器の着脱によって対応可能であり、保守・点検作業も容易に行うことができる。
【００１４】
なお、上記実施形態では保安器を８個実装するタイプのものにつき説明したが、本発明は何らこれに限定されるものではなく、例えば保安器を１０個実装するタイプを始めとして、任意個数の保安器に対し設計変更が可能である。
【００１５】
【発明の効果】
以上のように本発明によれば、端子盤とこれに対して着脱可能な複数の保安器とからなる比較的簡単な構造であり、安価に提供することができる。また、接続作業や保守・点検作業も容易に行うことができ、作業性向上に寄与するものである。
【図面の簡単な説明】
【図１】本発明の実施形態における端子盤を示すもので、図１（Ａ）は平面図、図１（Ｂ）は底面図、図１（Ｃ）は正面図である。
【図２】本発明の実施形態における保安器の内部構成を示すもので、図２（Ａ）は正面図、図２（Ｂ）は側面図である。
【図３】図２の保安器の回路構成図である。
【図４】本発明の実施形態の使用状態を示す図である。
【符号の説明】
１００  端子盤
１０１  基板
１０２  保安器装着部
１０３，１０４，１１３，１１４  接続端子
１０５  アース端子
１０６  アース板
１０７  リセプタクル装着部
１１５  預け端子
１１６  取付孔
１１７  アース接続孔
２００  保安器
２０１，２０２  バリスタ
２０３  ３極アレスタ
２０４  ケース
２０５  段部
２１３，２１４  接続端子
２１５  アース端子
３０１〜３０６  リセプタクル
５００  器具箱
５０１  支持パネル
５０２  外線ケーブル
５０３  保安器固定具
【図１】
0003830246.tif 000002
【図２】
0003830246.tif 000003
【図３】
0003830246.tif 000004
【図４】
0003830246.tif 000005